(57)【要約】【課題】設置スペースを必要最小限にすることができ、ジャム処理作業のしやすい用紙処理機の紙受装置を提供する。【解決手段】用紙処理機本体１２と紙受装置１６とが、排紙方向９０に沿って配置された用紙処理機１０であって、背後側で回動自在に支持された天板３０が、正面側から持ち上げられると、紙受台１００上に積載された用紙１８と接触することなく開かれる。【選択図】  図３
2004238154.tif 000002
【特許請求の範囲】
【請求項１】
紙受装置（１６）が、用紙処理機（１０）の排紙方向（９０）に沿って用紙処理機本体（１２）に隣接配置されて、
上記紙受装置（１６）は、
排出された用紙（１８）が積載される紙受台（１００）と、
紙受台（１００）の直上に配置され且つ用紙幅方向の背後側で開閉自在に支持された天板（３０）と、
紙受台（１００）を上下に移動させる昇降手段（４０）とを備え、
天板（３０）は、
排紙方向（９０）と直交する用紙幅方向に関して、排出された用紙（１８）の側縁を位置決めする左右の側方ガイド手段（３１）と、
排紙方向（９０）前方に設けられて、排出された用紙（１８）の前縁を受け止める前方ガイド手段（３４）とを有する一方、
用紙処理機（１０）の排紙方向（９０）前方には、用紙処理機（１０）から排出された用紙（１８）の後縁を位置決めする後方ガイド手段（２８）が設けられており、
所定枚数の用紙（１８）が排出されて紙受台（１００）上に積載されると、
積載用紙（１８）が側方ガイド手段（３１）、前方ガイド手段（３４）及び後方ガイド手段（２８）のいずれに対しても接触しない位置まで、紙受台（１００）を下降させた後に、
天板（３０）が用紙幅方向の正面側から開放されて、積載された用紙（１８）が紙受台（１００）から取出されることを特徴とする紙受装置。
【請求項２】
紙受装置（１６）が、用紙処理機（１０）の排紙方向（９０）に沿って用紙処理機本体（１２）に隣接配置されて、
上記紙受装置（１６）は、
排出された用紙（１８）が積載される紙受台（１００）と、
紙受台（１００）の直上に配置され且つ用紙幅方向の背後側で開閉自在に支持された天板（３０）と、
紙受台（１００）を上下に移動させる昇降手段（４０）とを備え、
天板（３０）は、
排紙方向（９０）と直交する用紙幅方向に関して、排出された用紙（１８）の側縁を位置決めする左右の側方ガイド手段（３１）と、
排紙方向（９０）前方に設けられて、排出された用紙（１８）の前縁を受け止める前方ガイド手段（３４）とを有する一方、
用紙処理機（１０）の排紙方向（９０）前方には、用紙処理機（１０）から排出された用紙（１８）の後縁を位置決めする後方ガイド手段（２８）が設けられており、
所定枚数の用紙（１８）が排出されて紙受台（１００）上に積載されると、
天板（３０）を開放させたときに、少なくとも側方ガイド手段（３１）が積載用紙（１８）に対して接触しない退避位置まで、側方ガイド手段（３１）を退避させた後に、
天板（３０）が用紙幅方向の正面側から開放されて、積載された用紙（１８）が紙受台（１００）から取出されることを特徴とする紙受装置。
【請求項３】
紙受台（１００）は、さらに、紙受台（１００）を移動可能に支持する運搬手段（１１２）を有し、
用紙（１８）の積載された紙受台（１００）を最下位置の着地位置に下降させたあと、紙受台（１００）が用紙幅方向の正面側から引き出されることを特徴とする、請求項１又は２記載の紙受装置。
【請求項４】
紙受台（１００）は、さらに、積載用紙（１８）が用紙処理機本体（１２）に対して接触することを防止するように構成されていることを特徴とする、請求項３記載の紙受装置。
【請求項５】
昇降手段（４０）は、用紙幅方向に延在して紙受台（１００）の底部を支持するアーム（４１）を有し、
上記アーム（４１）が排紙方向（９０）前方側に傾いたアーム傾斜面（１２０）を有する一方、
紙受台（１００）の底部には、アーム傾斜面（１２０）に係合する傾斜当接面（４３）が設けられているととに、傾斜当接面（４３）より下側に運搬手段が設けられており、
傾斜当接面（４３）がアーム傾斜面（１２０）に係合しながら、紙受台（１００）がアーム（４１）で支持されていることを特徴とする、請求項４記載の紙受装置。
【請求項６】
後方ガイド手段（２８）は、大略、前方ガイド手段（３４）と同じ高さかまたはそれより上の位置に存することを特徴とする、請求項４記載の紙受装置。
【請求項７】
積載用紙（１８）が各ガイド手段（３１，３４，２８）に接触しない位置まで用紙（１８）の積載された紙受台（１００）を下降させたあと、積載用紙（１８）が取り出されることを特徴とする、請求項１又は２記載の紙受装置。
【請求項８】
天板（３０）は、正面側において、紙受装置（１６）に関する表示又は操作を行うための表示操作部（３８）を有することを特徴とする、請求項１又は２記載の紙受装置。
【請求項９】
紙受台（１００）の最大用紙積載位置は、紙受台（１００）の着地位置より上に位置することを特徴とする、請求項１又は２記載の紙受装置。
【請求項１０】
用紙処理機本体（１２）と紙受装置（１６）とが、排紙方向（９０）に沿って配置された用紙処理機（１０）であって、
背後側で回動自在に支持された天板（３０）が正面側から持ち上げられると、天板（３０）は、紙受台（１００）上に積載された用紙（１８）と接触することなく開かれることを特徴とする紙受装置。
【発明の詳細な説明】
【０００１】
【発明の属する技術分野】
本発明は、紙受装置に関し、詳細には、用紙処理機から排出された用紙を揃える紙受装置に関する。
【０００２】
【従来の技術】
孔版印刷機や複写機等の画像形成機や裁断機等の用紙処理機には、用紙処理機から排出された用紙を揃える紙受装置が搭載されている（例えば、特許文献１を参照。）。
【０００３】
【特許文献１】
特開２０００−１４３０７０号公報
【０００４】
特許文献１に開示された孔版印刷機の紙受装置では、孔版印刷機本体と紙受装置とが横一列に並んで配置されている。用紙は、孔版印刷機本体から紙受装置に向けて横方向に順次搬送される。
【０００５】
例えば、大容量の用紙を積載することのできる大容量積載タイプの紙受装置は、孔版印刷機本体から排出された用紙を紙受台上に案内する用紙ガイド手段を天板上に有するとともに、用紙の積載される紙受台を上下に昇降させる昇降装置を有する。
【０００６】
天板が孔版印刷機本体の排紙部側の側面で回動可能に軸支された構造であって、天板の回動軸が排紙方向と直交する方向に延在している構造であるので、天板は排紙方向と並行であって且つ上下方向に開閉する。
【０００７】
昇降装置は、孔版印刷機本体の排紙部側の側面に設けられている。つまり、昇降装置は、排紙方向の後方に設けられている。昇降装置が邪魔するために、排紙方向の後方からは、排出された用紙を取出すことができない。一方、排紙方向の前方には遮るものがないので、排出された用紙は、排紙方向の前方から取出される。
【０００８】
このように、従来の紙受装置では、紙受装置に積載された用紙が排紙方向の前方側から取出されるために、排紙方向の前方側には、積載された用紙を取出すための用紙取出し作業空間を必要とする。
【０００９】
孔版印刷機本体と紙受装置とが横長に配置されている上に、取出し作業スペースが排紙方向の前方に必要であることから、孔版印刷機は、全体として、非常に横長の設置スペースを必要とする。
【００１０】
孔版印刷機本体の排紙部で、紙詰まりが起こることがある。しかしながら、昇降装置が排紙部近傍に設けられているので、詰まった用紙の排出作業（いわゆるジャム処理作業）を行う作業スペースが制限されて、ジャム処理作業がしずらいという問題もある。
【００１１】
【発明が解決しようとする課題】
したがって、本発明の解決すべき技術的課題は、設置スペースを必要最小限にすることができ、ジャム処理作業のしやすい用紙処理機の紙受装置を提供することである。
【００１２】
【課題を解決するための手段・作用・効果】
上記技術的課題を解決するために、本発明に係る用紙処理機の紙受装置は、用紙処理機本体と紙受装置とが、排紙方向に沿って配置された用紙処理機であって、背後側で回動自在に支持された天板が正面側から持ち上げられると、天板は、紙受台上に積載された用紙と接触することなく開かれることを基本的特徴としている。
【００１３】
上記構成によれば、紙受装置の天板が紙受装置の背後側で回動自在に支持されており、天板が持ち上げられたときに、天板が紙受台上に積載された用紙と接触することなく開かれるように構成されている。つまり、積載用紙は正面側から取出可能になっている。用紙処理機の操作パネル等は、一般に、正面側に配置されていることから、用紙処理機の各種操作部（つまり、操作パネルや紙受装置の取出部）が正面側に集中的に配置されている。したがって、用紙処理機の作業者は、用紙を取出すときに、側面側や背後側に回り込むことなく、正面側にいるだけで、操作パネルの設定入力・状態確認や用紙の取出等の各種作業を行うことができる。その結果、作業者の作業効率が大幅にアップする。また、紙受装置の排紙方向の前方側（すなわち、用紙処理機本体の側方側）には作業スペースが不要となるので、用紙処理機を小さな設置スペースで設置することができる。
【００１４】
本発明に係る用紙処理機の紙受装置は、用紙処理機の排紙方向に沿って用紙処理機本体に隣接配置されて、上記紙受装置は、排出された用紙が積載される紙受台と、紙受台の直上に配置され且つ用紙幅方向の背後側で開閉自在に支持された天板と、紙受台を上下に移動させる昇降手段とを備え、天板は、排紙方向と直交する用紙幅方向に関して、排出された用紙の側縁を位置決めする左右の側方ガイド手段と、排紙方向前方に設けられて、排出された用紙の前縁を受け止める前方ガイド手段とを有する一方、用紙処理機の排紙方向前方には、用紙処理機本体から排出された用紙の後縁を位置決めする後方ガイド手段が設けられており、所定枚数の用紙が排出されて紙受台上に積載されると、積載用紙が側方ガイド手段、前方ガイド手段及び後方ガイド手段のいずれに対しても接触しない位置まで、紙受台を下降させた後に、天板が用紙幅方向の正面側から開放されて、積載された用紙が紙受台から取出されることを特徴としている。
【００１５】
上記構成によれば、紙受装置の天板が用紙幅方向の背後側で開閉自在に支持されており、天板が持ち上げられて開放されたときに、紙受台上の積載用紙が、側方ガイド手段、前方ガイド手段及び後方ガイド手段のいずれに対しても接触しない位置まで、紙受台が下降されるように構成されている。したがって、この状態で、天板が用紙幅方向の正面側から開かれると、積載用紙が正面側から取出される。
【００１６】
上述したのと同様に、用紙処理機の操作パネル等は、一般に、正面側に配置されていることから、用紙処理機の各種操作部（つまり、操作パネルや紙受装置の取出部）が正面側に集中的に配置されている。したがって、用紙処理機の作業者は、用紙を取出すときに、側面側や背後側に回り込むことなく、正面側にいるだけで、操作パネルの設定入力・状態確認や用紙の取出等の各種作業を行うことができる。その結果、作業者の作業効率が大幅にアップする。また、紙受装置の排紙方向前方側（すなわち、用紙処理機の側方側）には作業スペースが不要となるので、用紙処理機を小さな設置スペースで設置することができる。
【００１７】
本発明に係る用紙処理機の紙受装置は、用紙処理機の排紙方向に沿って用紙処理機本体に隣接配置されて、上記紙受装置は、排出された用紙が積載される紙受台と、紙受台の直上に配置され且つ用紙幅方向の背後側で開閉自在に支持された天板と、紙受台を上下に移動させる昇降手段とを備え、天板は、排紙方向と直交する用紙幅方向に関して、排出された用紙の側縁を位置決めする左右の側方ガイド手段と、排紙方向前方に設けられて、排出された用紙の前縁を受け止める前方ガイド手段とを有する一方、用紙処理機の排紙方向前方には、用紙処理機本体から排出された用紙の後縁を位置決めする後方ガイド手段が設けられており、所定枚数の用紙が排出されて紙受台上に積載されると、天板が開放されたときに、少なくとも側方ガイド手段が積載用紙に対して接触しない退避位置まで、側方ガイド手段を退避させた後に、天板が用紙幅方向の正面側から開放されて、積載された用紙が紙受台から取出されることを特徴としている。
【００１８】
上記構成によれば、紙受装置の天板が用紙幅方向の背後側で開閉自在に支持されており、天板が持ち上げられて開放されたときに、少なくとも側方ガイド手段が積載用紙に対して接触しない退避位置まで、側方ガイド手段を退避させた後に、天板が用紙幅方向の正面側から開放されて、積載された用紙が正面側から紙受台から取出される
【００１９】
上述したのと同様に、用紙処理機の操作パネル等は、一般に、正面側に配置されていることから、用紙処理機の各種操作部（つまり、操作パネルや紙受装置の取出部）が正面側に集中的に配置されている。したがって、用紙処理機の作業者は、用紙を取出すときに、側面側や背後側に回り込むことなく、正面側にいるだけで、操作パネルの設定入力・状態確認や用紙の取出等の各種作業を行うことができる。その結果、作業者の作業効率が大幅にアップする。また、紙受装置の排紙方向前方側（すなわち、用紙処理機の側方側）には作業スペースが不要となるので、用紙処理機を小さな設置スペースで設置することができる。さらに、紙受台が紙受位置という上方位置に位置するので、作業者は腰をかがめて用紙を取出さずに済むので、取出し作業が楽になる。
【００２０】
紙受台は、さらに、紙受台を移動可能に支持する運搬手段を有し、用紙の積載された紙受台を最下位置の着地位置に下降させたあと、紙受台が用紙幅方向の正面側から引き出される。
【００２１】
上記構成によれば、紙受台が運搬可能になっている。多量の用紙が積載された場合に、紙受台を最下位置の着地位置に下降させたあと、用紙の積載された紙受台を正面側から取出すことができる。したがって、一度に、大量の印刷済み用紙を運ぶことが容易になる。
【００２２】
紙受台を最下位置に着地させるときに、ガイド手段によってきちんと揃えられて積載された用紙が用紙処理機本体の側壁等に接触してしまうと、揃えられて積載された用紙の山が崩れて位置がずれてしまう。したがって、紙受台は、さらに、積載用紙が用紙処理機本体に対して接触することを防止するように構成されている。
【００２３】
積載用紙が用紙処理機本体に対して接触することを防止するために、昇降手段は、用紙幅方向に延在して紙受台の底部を支持するアームを有し、上記アームが排紙方向前方側に傾いたアーム傾斜面を有する一方、紙受台の底部には、アーム傾斜面に係合する傾斜当接面が設けられているととに、傾斜当接面より下側に運搬手段が設けられており、傾斜当接面がアーム傾斜面に係合しながら、紙受台がアームで支持されている。
【００２４】
上記構成によれば、アーム傾斜面が排紙方向前方側に傾いた状態で、傾斜当接面とアーム傾斜面とが係合している。用紙の積載された紙受台が着地した後、昇降手段のアームがさらに下がるにつれて、用紙の積載された紙受台が排紙方向前方側にスライド移動して退避する。用紙が紙受台上できれいに揃えられた状態で、紙受台は紙受装置から引き出され、別の場所に運搬される。
【００２５】
同様に、着地した紙受台を紙受装置から引き出し、別の場所に運搬する際に、積載用紙が用紙処理機に対して接触することを防止するために、後方ガイド手段は、大略、前方ガイド手段と同じ高さかまたはそれより上の位置に存するように構成することができる。
【００２６】
積載用紙が各ガイド手段に接触しない位置まで用紙の積載された紙受台を下降させたあと、積載用紙が取り出される。
【００２７】
積載用紙があまり多くない場合には、積載用紙の重量がそれほど重くないために、必ずしも着地位置まで下げる必要はなく、紙受位置から着地位置までの途中の中間的な位置であって積載用紙が各ガイド手段に接触しない位置において、積載用紙が取出される。
【００２８】
用紙処理機の操作パネルは、一般に、用紙処理機本体の正面側に配置されている。天板は、正面側において、紙受装置に関する表示又は操作を行うための表示操作部を有することが好ましい。紙受装置専用の表示操作部を設けることにより、紙受装置の操作性が向上する。用紙処理機の操作パネルや紙受装置の表示操作部が正面側に横一列に配置されているので、作業者の操作性や視認性が向上する。
【００２９】
紙受動作中の紙受台の最下位置が着地位置であるように構成されていれば、紙受動作しながら自動的に下降する紙受台によって、作業者の足が誤って挟まれてしまう可能性がある。紙受台の最大用紙積載位置は、紙受台の着地位置より上に位置することが好ましい。このように構成すれば、通常の紙受動作では、紙受台が最大用紙積載位置より下に下降することがないので、紙受台で足が挟まれることが防止される。なお、紙受台を最大用紙積載位置より下の着地位置に下降させるためには、マニュアル下降スイッチ等を手動で押し続けるような構成にすることで、紙受台が不用意に下降することが防止される。
【００３０】
【発明の実施の形態】
以下に、本発明の一実施形態に係る紙受装置を備える孔版印刷機１０について、図１〜図８を参照しながら詳細に説明する。
【００３１】
まず、孔版印刷機１０の全体構成の概要を説明する。印刷機１０は、図１に示すように、印刷機本体１２の一方の側（図１の左側の排紙方向９０の後方）に給紙部１４を有し、その他方の側（図１の右側の排紙方向９０の前方）に紙受装置１６を有する。
【００３２】
給紙部１４は、印刷機本体１２の一方（図１において左側の排紙方向９０の後方）に設けられ、大量の用紙（たとえば３０００枚）を載置できる給紙台６０を有する。給紙台６０は、昇降装置７０によって昇降するようになっている。昇降装置７０は、後述する紙受部１６の昇降装置４０と大略同様に構成され、モータと、チェーンと、スプロケットと、ばねと、上限センサと、下限スイッチと、用紙有無センサと、マニュアル下降スイッチとを備える。給紙台６０は、用紙１８の消費にともなって自動的に上昇し、積載された用紙１８の一番上の用紙が給紙リングに常に接するようになっている。
【００３３】
印刷機本体１２の正面側すなわち作業者側の上部には、操作パネル８等が設けられている。印刷機本体１２の内部には、外周面に孔版原紙を取り付ける版胴２０が設けられ、版胴２０の内部にはインクが供給されるようになっている。また、用紙１８を版胴２０側に押し付けるプレスローラ２２が設けられ、版胴２０および孔版原紙を透過したインクを用紙１８に付着させて印刷するようになっている。
【００３４】
印刷された用紙１８は、印刷機本体１２の排出部から排出され、図１において右側の排紙方向９０の前方の紙受装置１６で受け止められ、順に積み重ねられるようになっている。排紙部の下方には、後方ガイド板２８が設けられている。後方ガイド板２８は、排出部から排出された用紙１８が前方ガイド板３４に当たってはね返った用紙１８の後端の位置を決めるものである。後方ガイド板２８は前方ガイド板３４や幅ガイド板３１の下端と大略同じ高さまであれば十分であり、逆に、脚部１７の近くの下部にまで延在すれば、取出しの邪魔になるので下方まで延在させることは不要である。後方ガイド板２８は、用紙積載時には排紙方向９０の前方側に突出して用紙１８の後端の位置を決める一方で、用紙取出し時には排紙方向９０の後方側に退避させるように構成してもよい。排出部の周囲には、昇降装置４０等の大型の駆動機構が配置されていないので、大きな空間があいている。したがって、排出部からの用紙１８が詰まって、いわゆるジャム状態になったときでも、あいた空間を作業空間として利用して、あいた空間に手を突っ込んで詰まった用紙１８を取出すことが容易である。
【００３５】
紙受装置１６は、印刷機本体１２から排出された印刷済み用紙１８を上方から覆う天板３０と、天板３０の直下に配置される紙受台１００と、紙受台１００を昇降させる昇降装置４０とを有する。また、図４に示すように、脚フレーム９９の底面に運搬手段としてのキャスタを有するので、取手３５を水平に引き出して、印刷機本体１２から分離して紙受装置１６だけを移動させることができる。
【００３６】
図４において、天板３０は、用紙幅方向の背後側に設けられた回動軸２９によって、紙受装置１６に回動自在に軸支され、一点鎖線で示したように、背後側に向けて持ち上げることができ、紙受台１００の上方の正面側（すなわち作業者側）が開放され、正面側から、紙受台１００に載置された印刷済み用紙１８が取り出される。したがって、用紙１８の取出しが容易なように構成されている。
【００３７】
天板３０は、略水平方向に延在し、天板３０の下面から下方に延在する前方止め板３４および一対の幅ガイド板３１と、天板３０内に設けられた公知のガイド板往復駆動機構とを有する。
【００３８】
幅ガイド板３１，前方止め板３４は、公知のガイド板往復駆動機構によって、用紙１８が排出されるタイミングに同期して、ジョガー動作を行う。すなわち、幅ガイド板３１，前方止め板３４は、用紙１８に当接する当接位置から当接位置の外側の退避位置に所定距離だけ離れたあと、すぐに元の当接位置に戻るという接離動作を繰り返して、用紙１８の端をきれいに揃えるようになっている。
【００３９】
天板３０の上面には、前方止め板３４の排紙方向位置を設定するガイド止めねじと、幅ガイド板３１の用紙幅方向（排紙方向９０に対して直角方向）位置を設定するガイド止めねじとを設けて、これらのガイド止めねじを緩めて移動した後に締めることによって、前方止め板３４および幅ガイド板３１の位置を適宜に設定し、異なる用紙サイズに対応するマニュアル調整できるような構成とすることもできる。
【００４０】
前方止め板３４は、印刷済み用紙１８の用紙幅方向に延在し、排出された印刷済み用紙１８の前端が当接するようになっている。一対の幅ガイド板３１は、印刷機本体１２と前方止め板３４との間において、排紙経路の両側に排紙方向９０に略平行に延在し、排出された印刷済み用紙１８の両側に当接するようになっている。幅ガイド板３１，前方止め板３４の下端には、それぞれ、突起３６，３７が設けられている。
【００４１】
一対の幅ガイド板３１の大略中央部には、それぞれ、開口３２が設けられている。開口３２に隣接して、用紙高さ検出手段としてのレベルセンサ３３が取り付けられている。レベルセンサ３３は、前方止め板３４および幅ガイド板３１の下端より上方において紙受台１００に積載された用紙１８を挟んで対向する位置に配置された発光部および受光部を有する遮光センサである。レベルセンサ３３によって、一方の幅ガイド板３１に取付けられた発光部から発せられた光は、開口３２を通って、対向する他方の幅ガイド板３１に取付けられた受光部で受光される。
【００４２】
紙受台１００は、図３に示すように、紙受装置１６の本体から完全に切り離すことができるように構成されている。
【００４３】
紙受台１００は、大略板形状であって、正面側（作業者側）の側面に取手１１４が設けられ、運搬手段としてのキャスター１１２が紙受台１００の底部１１０の中央部近傍の四隅に設けられ、紙受台１００を単体で容易に移動させることができるようになっている。底部の周辺部には、昇降装置４０のリフトアーム４１によって支持されるアーム受部１１８と、紙受装置１６の脚部１７と係合する脚受部１１９とが設けられている。用紙積載面１３０には、用紙幅方向に延在するガイド溝１１６と、排紙方向９０に延在するガイド溝１１７とが形成されている。各ガイド溝１１６，１１７は、幅ガイド板３１，前方止め板３４の各突起３６，３７をそれぞれ受け入れるようになっている。すなわち、紙受台１００が、上限位置１３０ｓにあるときに、溝１１６，１１７に幅ガイド板３１，前方止め板３４の突起３６，３７がそれぞれ係合するので、天板３０と紙受台１００との間の隙間から印刷済み用紙１８がはみ出ることなく、紙受台１００上に揃えて積載される。
【００４４】
支持部１２０の両側のアーム受部１１８には、後述する昇降装置４０のフォーク状のリフトアーム４１が挿入され、紙受台１００が、図４において実線で示した最下位置すなわち着地位置から、下限位置１３０ｔ（一点鎖線で図示）を経て上限位置１３０ｓ（一点鎖線で図示）まで、リフトアーム４１で持ち上げられるようになっている。下限位置１３０ｔと上限位置１３０ｓとの間は自動的に昇降し、着地位置と下限位置１３０ｔとの間は手動で昇降するように構成されている。すなわち、図５に示したマニュアル下降スイッチ２０５を押し続けることによって、昇降装置４０のリフトアーム４１が手動で下降する。リフトアーム４１には、台形状の突起４１ａが上向きに固定され、紙受台１００のアーム受部１１８には、この突起４１ａに嵌合する略長方形の嵌合溝（図示せず）が形成されていて、紙受台１００がリフトアーム４１で持ち上げられたときに、紙受台１００の嵌合溝にリフトアーム４１の突起４１ａが嵌合し、紙受台１００がリフトアーム４１に対して位置ずれしないようになっている。印刷用紙１８の積載可能範囲は、紙受台１００が上限位置１３０ｓ（いわゆるホームポジション）から下限位置１３０ｔ（いわゆるスタッカーフルポジション）までの間である。
【００４５】
紙受台１００を昇降させる昇降装置４０は、公知の昇降機構が使用されて、図４に示すように、フォーク状のリフトアーム４１と、モータと、チェーンと、スプロケットと、ばねとを備える。リフトアーム４１は、垂直方向に平行移動自在に支持されている。チェーンは、一端がリフトアーム４１に固定され、リフトアーム４１から上方に延在し、紙受台１００の上限位置１３０ｓより上方に設けた案内スプロケットに噛み合って下方に延在し、下部に設けられ減速ギヤを介してモータによって回転される駆動スプロケットに噛み合い、他端が装置本体に固定されたばねによって常に引っ張られるようになっている。駆動スプロケットが回転するとチェーンが上または下に移動し、リフトアーム４１が昇降するようになっている。
【００４６】
昇降装置４０は、さらに、リフトアーム４１の上限位置１３０ｓ、下限位置１３０ｔ、および最下位置（着地位置）をそれぞれ検出する上限スイッチ５０、下限スイッチ５２、および最下スイッチ５３とを備え、後述するように、それらの信号に基づいて動作が制御されるようになっている。
【００４７】
紙受台１００の上部１３０は、図４に示したように、一点鎖線で示した上限位置１３０ｓと一点鎖線で示した下限位置１３０ｔとの間で、紙受台１００に重ねられた印刷済み用紙１８の上部が幅ガイド板３１，前方止め板３４の下端よりも上になり、天板３０と重ねられた印刷済み用紙１８の上部とが常に噛み合うように下げられる。すなわち、印刷済み用紙１８が基準高さまで積み重ねられたことをレベルセンサ３３が検知すると、昇降装置４０は、リフトアーム４１、すなわち紙受台１００を所定距離下降させる。これにより、印刷機本体１２から排出された印刷済み用紙１８の落下距離は大略一定に保たれる。また、紙受台１００の下降ストロークは給紙台３０の上昇ストロークと略等しくなっている。したがって、大量に印刷したときにでも、印刷動作を中断することなく、印刷した全ての用紙１８を紙受台１００に順に揃えて積み重ねることができる。
【００４８】
印刷機１０は、図８のブロック図に示すように、Ｉ／Ｏポートを介して昇降装置４０，７０の機器類がＣＰＵに接続され、ＣＰＵによって制御されるようになっている。ＣＰＵには、ＲＯＭ、ＲＡＭ、ＥＥＰＲＯＭ、操作パネル８のスイッチ類、印刷機本体１２の機構部、排紙センサ、ステッピングモータ、紙受装置の安全装置も接続されている。
【００４９】
印刷機１０の正面側すなわち作業者側には、図２に示すように、印刷機１０の本体側操作パネル８が設けられている。本体側操作パネル８は、紙受装置１６を含む印刷機１０の全体的な動作状態を表示したり設定入力を行ったりするためのものである。紙受装置１６の天板３０の正面側すなわち作業者側には、図５に示すような、紙受装置専用の操作パネル３８が設けられている。したがって、本体側操作パネル８及び紙受装置用操作パネル３８が、正面側すなわち作業者側に集中的に配置されている。
【００５０】
紙受装置用操作パネル３８は、例えば、左から順に、非常停止ボタン２０１、前方止め板調整ボタン２０２と幅ガイド板調整ボタン２０３、及びマニュアル下降ボタン２０５と電源ランプ２０７とスタンバイランプ２０８と天板ロックランプ２０９が配置されている。
【００５１】
ここで、非常停止ボタン２０１は、紙受動作を緊急に停止させるものである。前方止め板調整ボタン２０２及び幅ガイド板調整ボタン２０３は、それぞれ、前方止め板３４及び幅ガイド板３１の位置を調整するためのものである。マニュアル下降ボタン２０５は、作業者が下限位置１３０ｔにある紙受台１００を着地位置まで足元の安全を確認しながら、手動で下げるためのものである。電源ランプ２０７は紙受装置１６の電源のオン・オフ状態を示すものである。スタンバイランプ２０８は、紙受装置１６の使用可能状態か否かを示すものである。天板ロックランプ２０９は、天板３０が不図示の天板ロック機構によってロックされているか否かを示すものである。
【００５２】
紙受装置１６には、各種安全機構が設けられている。
【００５３】
まず、上述したように、作業者がマニュアル下降スイッチ２０５を押し続けないと、下限位置１３０ｔから着地位置まで紙受台１００が下降しないという手動運転操作になっている。
【００５４】
図２に示すように、紙受装置１６の脚部１７の正面側すなわち作業者側には、障害物検知センサ９２が設けられている。左右の脚部１７の内側にはそれぞれ対向する穴９１が形成されている。障害物検知センサ９２は、各穴９１を挟んで対向する位置に配置された発光部および受光部を有する遮光センサである。障害物検知センサ９２によって、一方の脚部１７に設けられた発光部から発せられた光は、穴９２を通って、対向する他方の脚部１７に設けられた受光部で受光される。したがって、下限位置１３０ｔから着地位置まで紙受台１００を下降させる際に、作業者の足等の障害物で障害物検知センサ９２の光が遮られていることが検知されたならば、下降する紙受台１００で作業者の足が挟まれないように、紙受台１００の下降動作が停止される。
【００５５】
図６及び７に示すように、紙受装置１６の左右の脚部１７の上面側には、安全スイッチ９７が設けられている。安全スイッチ９７は、脚フレーム９９に対してヒンジ９４で回動自在に支持された脚カバー９３と、脚カバー９３を上向きに付勢する弾性支持体９５と、脚カバー９３から下向きに延在するプッシャー９６と、マイクロスイッチ９７とから構成される。なお、紙受台１００が着地位置にあるときには、紙受台１００の脚受部１１９で脚カバー９３が押圧されて、スイッチ９７がオン状態にならないように、すなわち非接触状態になるように、脚受部１１９と脚カバー９３との間には、所定の間隔が設けられている。
【００５６】
作業者の足や周囲に置いてある物で、紙受装置１６の左右の脚部１７の少なくとも一方が踏まれたときには、足等で踏まれた脚カバー９３が押し下げられる。このとき、プッシャー９６が下動することで、マイクロスイッチ９７が押されて、スイッチ９７がオン状態になる。スイッチ９７がオン状態になると、下降する紙受台１００で作業者の足等が挟まれないように、紙受台１００の下降動作が緊急停止される。
【００５７】
次に、紙受台１００を昇降させる昇降装置４０の動作について説明する。
【００５８】
昇降装置４０のリフトアーム４１が最下位置の着地位置にあるとき、リフトアーム４１の間に紙受台１００を装着し、操作パネル８の印刷開始キーを押すと、リフトアーム４１は紙受台１００を持ち上げ、印刷可能となる。一方、マニュアル下降スイッチ２０５が押し続けられると、リフトアーム４１が最下の着地位置まで下降し、紙受台１００を昇降装置４０から取り外すことが可能な状態となる。
【００５９】
まず、操作パネル８の印刷開始キーが押されたか否かが判別される。
【００６０】
印刷開始キーが押されたと判定されたときには、スタッカーすなわち紙受台１００に印刷済み用紙１８が満杯であるか否かが判別され、満杯（スタッカーフル）状態、すなわち、レベルセンサ３３および下限スイッチ５２がオンであれば、印刷開始に戻る。満杯でなければ、エレベータ処理の完了フラグをリセットする。次に、印刷済み用紙１８を受けるのに適した位置まで紙受台１００を昇降させるイニシャライズ処理を実行する。
【００６１】
紙受台検知センサ５５がオンであるか否かが判定される。紙受台検知センサ５５がオンでなければ、紙受台１００がリフトアーム４１の間にないので、操作パネル８の表示部に「キャリーナシ」のエラー表示を表示してイニシャライズ処理に戻る。
【００６２】
紙受台検知センサ５５がオンであれば、操作パネル８の表示部の「キャリーナシ」のエラー表示をクリアし、次に、リフトアーム４１がホームポジションすなわち上限位置１３０ｓであるか否かが、上限スイッチ５０の出力に基づいて判別される。
【００６３】
ホームポジションであれば、レベルセンサ３３が用紙１８を検知したか否かが判別される。用紙１８を検知しないときには、昇降装置４０を停止する。用紙１８を検知したときには、レベルセンサ３３が用紙１８を検知しなくなるまで、リフトアーム４１、すなわち紙受台１００を下降させる。
【００６４】
ホームポジションでなければ、リフトアーム４１を上昇させ、レベルセンサ３３が用紙１８を検知したか否かが判別される。用紙１８を検知しないときには、「キャリーナシ」のエラー表示のクリアに戻る。用紙１８を検知したときには、レベルセンサ３３が用紙１８を検知しなくなるまで、リフトアーム４１を下降させる。
【００６５】
つまり、紙受台１００上に重ねられた用紙１８の一番上がレベルセンサ３３のすぐ下となるように、紙受台１００を昇降させる。
【００６６】
イニシャライズ処理の実行後、印刷を開始し、印刷された用紙１８の高さに応じて紙受台１００を下降させるエレベーターポジション制御処理を実行する。
【００６７】
詳しくは、レベルセンサ３３のオン、すなわち用紙１８の検知が所定時間（たとえば、０．２秒）以上継続すれば、リフトアーム４１を用紙１８の検知がなくなるまで下降させる。これは、印刷された用紙が紙受台１００上に積み重ねられる前にレベルセンサ３３を通過し、レベルセンサ３３を断続的に遮光する場合と、紙受台１００に積み重ねられた用紙１８がレベルセンサ３３よりも高くなってレベルセンサ３３を連続的に遮光する場合とを区別するためである。なお、下限スイッチ５２がオンになれば、昇降装置４０は停止する。
【００６８】
次に、紙受部１７（スタッカー）が満杯（スタッカーフル）であるか否かが判別され、満杯のとき（いわゆる通常スタッカーフル状態のとき）には、印刷を停止して、スタートに戻る。紙受部１７（スタッカー）が満杯でなければ、印刷機本体１２からの停止指令の有無が判別され、設定枚数の印刷が完了した結果等により、停止指令があるとき（設定枚数印刷完了等の途中停止状態のとき）には、印刷を停止して、スタートに戻る。停止指令がなければ印刷開始に戻る。
【００６９】
なお、印刷中における幅ガイド板３１，前方止め板３４は、用紙１８の排出サイクルに合わせて、当接位置と退避位置との間を往復運動して公知のジョガー動作を行う。したがって、幅ガイド板３１，前方止め板３４は、所定位置からずれて紙受台１００に着地した用紙１８を所定位置まで押し戻すので、紙受台１００上の用紙１８をきれいに揃えることができる。
【００７０】
通常スタッカーフル位置や設定枚数印刷完了等の途中停止位置から最下の着地位置まで紙受台１００を下降させるときには、リフトアーム４１が各位置から連続的に下降して作業者の足等が挟まれてしまうという危険性を回避するために、リフトアーム４１の連続的な下降動作が行われないように構成されている。
【００７１】
現在、紙受台１００が途中停止位置すなわち上限位置１３０ｓから下限位置１３０ｔまでの間で停止しているとして、以下、マニュアル下降スイッチ５８を押し続けることにより、紙受台１００を最下の着地位置まで下降させる動作について説明する。
【００７２】
印刷開始キーが押されていないときには、マニュアル下降スイッチ５８が押されている間だけリフトアーム４１が下降して、スタートに戻る。
【００７３】
第１エレベータ処理（上限位置１３０ｓから下限位置１３０ｔまでのエレベータ下降処理）が完了しているか否かが、完了フラグに基づいて判定される。
【００７４】
第１エレベータ処理が完了していなければ、マニュアル下降スイッチ５８がオンであるか否かが判別される。オンでなければ、昇降装置４０を停止する。
【００７５】
オンであれば、下限スイッチ５２がオンであるか否かが判別される。下限スイッチ５２がオンでなければ、昇降装置４０を駆動し、リフトアーム４１を下げる。
【００７６】
下限スイッチ５２がオンであれば、昇降装置４０が停止し、マニュアル下降スイッチ５８がオフになるのを待ち、オフになれば、エレベータ処理の完了フラグをセットする。つまり、マニュアル下降スイッチ５８を押しつづけることによって、下限位置１３０ｔまでリフトアーム４１を下降した後、一旦、マニュアル下降スイッチ５８をオフにしなければ、次の処理を行わないようになっている。
【００７７】
第１エレベータ処理が完了していれば、第２エレベータ処理（下限位置１３０ｔから最下位置までのエレベータ下降処理）を実行する。
【００７８】
すなわち、マニュアル下降スイッチ５８がオンであるか否かが判別される。マニュアル下降スイッチ５８がオンでなければ、昇降装置４０を停止する。
【００７９】
マニュアル下降スイッチ５８がオンであれば、最下スイッチ５３がオンであるか否かが判別される。最下スイッチ５３がオンでなければ、昇降装置４０を駆動してリフトアーム４１を下げる。最下スイッチ５３がオンであれば、昇降装置４０を停止する。この最下の着地位置において、紙受台１００が取出し可能である。
【００８０】
以上説明したように、孔版印刷機１０は、大量の印刷済み用紙１８を積載した紙受台１００を紙受装置１６のリフトアーム４１から分離して、紙受台１００に用紙１８を載せたまま、紙受台１００を移動させることができる。
【００８１】
このとき、紙受装置１６の天板３０が背後側で回動軸２９で支持されており、天板３０が持ち上げられたときに、天板３０が紙受台１００上に積載された用紙１８と接触することなく正面側から開かれるように構成されているので、積載用紙１８は正面側から引き出されて取出される。孔版印刷機１０の本体側操作パネル８と紙受装置１６の操作パネル３８も、正面側に集中的に配置されている。したがって、孔版印刷機１０の作業者は、側面側や背後側に回り込むことなく、正面側にいるだけで、操作パネル８，３８の設定条件の入力や動作状態の確認及び用紙の取出等の各種作業を行うことができる。その結果、作業者の作業効率が大幅にアップする。また、紙受装置１６の排紙方向９０の前方側（すなわち、孔版印刷機１０の側方側）には作業スペースが不要となるので、孔版印刷機１０を小さな設置スペースで設置することができる。
【００８２】
また、紙受台１００を複数台用意しておけば、印刷中に紙受台１００の用紙積載量が満杯になっても、紙受台１００を交換するだけで、作業中断時間を最小にして印刷作業を継続でき、作業性が向上する。したがって、大量の印刷済み用紙１８を容易に運ぶことができる。
【００８３】
なお、本発明は、上記実施形態に限定されるものではなく、その他種々の態様で実施可能である。
【００８４】
たとえば、印刷枚数が少量である場合、必ずしも、紙受台１００を着地位置までわざわざ下げる必要はない。紙受位置から着地位置までの途中の中間的な位置であって積載用紙１８が幅ガイド板３１、前方止め板３４及び後方止め板２８に接触しない位置に紙受台１００を停止させておき、その状態で、積載用紙１８を取出すことができる。
【００８５】
図９に示すように、昇降装置４０のリフトアーム４１及びアーム受部１１８の相互の係合形状を利用して、用紙１８の積載された紙受台１００の搬出時の用紙１８の山の崩れを防止することができる。リフトアーム４１の側面が排紙方向９０の前方側に傾いたアーム傾斜面４３を有する一方、紙受台１００のアーム受部１１８には、アーム傾斜面４３に係合する傾斜当接面１２０が設けられている。リフトアーム４１が昇降するための昇降スペースが、アーム受部１１８の上面と着地面との間に確保されている。
【００８６】
上記構成によれば、図９の（Ａ）に示すように、用紙１８の積載された紙受台１００は、アーム傾斜面４３と傾斜当接面１２０とが係合した状態で、着地位置まで下げられる。紙受台１００が着地した後、昇降装置４０のリフトアーム４１がさらに下げられる。それに伴って、図９の（Ｂ）に示すように、用紙１８の積載された紙受台１００が排紙方向９０の前方側にスライド移動して、印刷機本体１２と接触することが退避される。したがって、用紙１８が紙受台１００の上で揃えられた状態で、紙受台１００は紙受装置１６から正面側に引き出されたあと、別の場所に運搬される。
【００８７】
また、紙受台１００は、上下に着脱自在に分割可能な構造とすることもできる。上部分はリフトアーム４１で昇降されるようにし、キャスタ１１２を有する下部分は着地したままとする。紙受台１００の上部分だけを昇降させるだけでよいので、被昇降物（紙受台）の重量が軽くなり、昇降装置４０の昇降機構を簡素化できる。また、下部分が、常時、着地位置にあるので、下降してきた紙受台１００で作業者の足が挟まれることも防止される。
【００８８】
また、昇降装置４０の昇降機構は、上記実施形態では用紙幅方向の背後側に配設されているが、天板３０内に配設するようにしてもよい。この場合、例えば、天板３０から延在するクレーン機構によって、紙受台１００が吊るされるように構成される。
【図面の簡単な説明】
【図１】本発明の一実施形態に係る紙受装置を備える印刷機を模式的に示す正面図である。
【図２】図１の印刷機を正面から見た斜視図である。
【図３】図１の印刷機の紙受台が下降したときを正面から見た斜視図である。
【図４】紙受装置の天板の開閉を示す側面図である。
【図５】紙受装置の操作パネルを示す図である。
【図６】紙受装置の安全装置の要部斜視図である。
【図７】図６の安全装置の断面図である。
【図８】図１の印刷機のブロック図である。
【図９】紙受台の着地時の動きを説明する図である。（Ａ）は着地したときを表し、（Ｂ）は昇降手段のリフトアームがさらに下降していることを表している。
【符号の説明】
８  本体側操作パネル
１０  印刷機（用紙処理機）
１２  本体
１４  給紙部
１６  紙受装置（紙受部）
１８  用紙
１７  脚部
２０  版胴
２２  プレスローラ
２８  後方ガイド板（後方ガイド手段）
２９  回動軸
３０  天板
３１  幅ガイド板（側方ガイド手段）
３２  開口
３３  レベルセンサ（用紙高さ検出手段）
３４  前方止め板（前方ガイド手段）
３５  取手
３６  突起
３７  突起
３８  紙受装置用操作パネル
４０  昇降装置（エレベータ手段）
４１  リフトアーム
４１ａ  突起
４２  支持部
４３  傾斜面
５０  上限スイッチ
５２  下限スイッチ
５３  最下スイッチ
５５  紙受台検知センサ
６０  給紙台
７０  昇降装置
９０  排紙方向
９２  障害物検知センサ
９３  脚カバー
９４  ヒンジ
９５  弾性支持体
９６  プッシャー
９７  マイクロスイッチ
９８  貫通穴
９９  脚フレーム
１００  紙受台
１１０  底部
１１２  キャスタ
１１４  取手
１１６  ガイド溝
１１７  ガイド溝
１１８  アーム受部
１１９  脚受部
１２０  傾斜面
１３０  用紙積載面
２０１  非常停止ボタン
２０２  前方止め板調整ボタン
２０３  幅ガイド板調整ボタン
２０５  マニュアル下降ボタン
２０７  電源ランプ
２０８  スタンバイランプ
２０９  天板ロックランプ
【図１】
2004238154.tif 000003
【図２】
2004238154.tif 000004
【図３】
2004238154.tif 000005
【図４】
2004238154.tif 000006
【図５】
2004238154.tif 000007
【図６】
2004238154.tif 000008
【図７】
2004238154.tif 000009
【図８】
2004238154.tif 000010
【図９】
2004238154.tif 000011